(57)【特許請求の範囲】
【請求項１】
瓦を屋根の棟に沿って継ぎ合わせながら積層した棟瓦を支持する棟瓦支持部材であって、内部に通気可能な空間を有し、屋根の棟の頂部に沿って屋根の上に取り付けられる長尺なフレーム本体（１）を有し、このフレーム本体（１）は、その両側に設けられ、屋根の棟の頂部の両側の野地板（１６）上に固定される板状の支持板（２）と、この支持板（２）の上にあって、前記フレーム本体（１）の両側に設けられ、屋根の最上部に葺く桟瓦（１７）の尻部を引っかける段部を有する長尺な桟部（４）と、この桟部（４）と前記フレーム本体（１）の側壁とにそれぞれ開口した通気窓（６）とを有し、このフレーム本体（１）の他のフレーム本体（１）と継ぎ合わせられる端部の頂部に、棟瓦梁（２５）を架設する梁支持柱（１２）または釘状の支持ピン（２１）を立設する切欠（８）が設けられていることを特徴とする棟瓦支持部材。
【請求項２】
フレーム本体（１）と桟部（４）とに開口した通気窓（６）は、外側から中心部に向かってフレーム本体（１）及び桟部（４）の長手方向に沿って交互にずれて配置されていることを特徴とする請求項１に記載の棟瓦支持部材。
【請求項３】
フレーム本体（１）の側壁の通気窓（６）の内側に間隔をおいて邪魔板部（３）が立設していることを特徴とする請求項１または２に記載の棟瓦支持部材。
【請求項４】
フレーム本体（１）の端部には、他のフレーム本体（１）と継ぎ合わせる継手（９）が設けられていることを特徴とする請求項１〜３の何れかに記載の棟瓦支持部材。
【請求項５】
桟部（４）は、フレーム本体１を上側に正面矩形状に折り曲げて形成されたものからなることを特徴とする請求項１〜４の何れかに記載の棟瓦支持部材。
【請求項６】
桟部（４）は、支持板（２）上に立設されたパネル状のものからなることを特徴とする請求項１〜４の何れかに記載の棟瓦支持部材。
【請求項７】
桟部（４）は互いに平行に複数枚立設されていることを特徴とする請求項６に記載の棟瓦支持部材。
【請求項８】
瓦を屋根の棟に沿って継ぎ合わせながら積層した棟瓦であって、前記請求項１〜７の何れかに記載の棟瓦支持部材を使用し、この棟瓦支持部材の前記フレーム本体（１）を屋根の棟の頂部に沿って屋根の上に取り付けると共に、フレーム本体（１）の両側の支持板（２）を屋根の棟の両側の固定し、前記桟部（４）に桟瓦（１７）の尻部を引っかけて屋根の最上部の桟瓦（１７）を葺き、さらにフレーム本体（１）の上に瓦支持部材を立設し、フレーム本体（１）及びその両側に葺いた桟瓦（１７）にわたって少なくともかんむり瓦（２６）、（７６）を有する棟瓦を載せ、かんむり瓦（２６）、（７８）を前記瓦支持部材（１）に固定したことを特徴とする棟瓦。
【請求項９】
瓦支持部材が、屋根の棟に沿ってフレーム本体（１）の上に立設された梁支持柱（１２）と、この梁支持柱（１２）に架設した棟瓦梁（２５）からなることを特徴とする請求項８に記載の棟瓦。
【請求項１０】
瓦支持部材が、フレーム本体（１）の中央からその上に立設された棟瓦支持フレーム（５１）からなることを特徴とする請求項８に記載の棟瓦。
【請求項１１】
フレーム本体（１）及びその両側に葺いた桟瓦（１７）の上に面戸瓦とのし瓦（２２）、（２３）の少なくとも何れかが載せられ、その上にかんむり瓦（２６）が載せられていることを特徴とする請求項９〜１０の何れかに記載の棟瓦。
【発明の詳細な説明】
【０００１】
【発明の属する技術分野】
本発明は、かんむり瓦やその他の瓦を屋根の棟に沿って継ぎ合わせながら積層した棟瓦を支持する棟瓦支持部材と、この棟瓦支持部材を使用して屋根の棟に沿って葺いた棟瓦に関し、特に、換気性、耐震性、防水性及び施工性の何れをも向上させた棟瓦構造に関する。
【０００２】
【従来の技術】
瓦葺の屋根では、かんむり瓦を棟に沿って継ぎ合わせて、いわゆる棟作りが行われる。いわゆる和風の瓦葺き屋根では、面戸瓦、１層以上ののし瓦及びかんむり瓦（丸瓦）等を順次積み上げて棟作りが行われる。他方、洋風屋根では、のし瓦は比較的単純であり、屋根の勾配に沿って桟瓦を軒先から棟に向けて葺きあげた後、棟に沿ってかんむり瓦を継ぎ合わせながら載せ、金属線等で固定するだけである。かんむり瓦としては、角形のものが多く使用される。
【０００３】
【発明が解決しようとしている課題】
このような従来の棟瓦では、防水性はほぼ完全な状態であるが、地震や強風等で、棟瓦の重ね合わせ部分にずれを生じることがあった。特に最近の窯業瓦は、屋根構造の関係から、軽量化の傾向にあり、従来の棟瓦の積層では、地震、強風などで重ね合わせ部分にずれを生じ、１枚ずれると次々に広い範囲に波及する。このため、瓦が落下したり、落下破損しないまでも、葺替えをしなければならないといった問題があった。
【０００４】
特に今日では、阪神淡路大震災を契機として、住宅の耐震性が見直されている。棟瓦の耐震性も例外ではなく、その見直しが図れている。
さらに、今日の住宅は気密性が高く、特に冬場には屋内外の気温差が大きくなる。この弊害として、天井と屋根に囲まれた、いわゆる小屋裏等の結露が指摘されている。これにより、屋根の最上部に当たる棟部における換気の必要性が指摘されている。
本発明はこのような従来の棟瓦における課題に鑑み、耐震性、施工性及び換気性に優れるだけでなく、防水性にも優れた棟瓦支持部材とこれを使用した棟瓦を提供することを目的とする。
【０００５】
【課題を解決するための手段】
本発明では、前記の目的を達成するため、棟に沿って屋根の上に、内部に通気可能な空間を有するフレーム本体１を取り付け、このフレーム本体１の両側に同レーム本体１と平行に桟部４を設け、この桟部４と前記フレーム本体１の側壁とに通気窓６を設けた。桟部４は、瓦桟を兼ねるものであり、ここに桟瓦１７の瓦尻の下に突設された突起を引っかけて屋根の最上部の桟瓦１７を葺く。さらに、屋根の棟または前記フレーム本体１から梁支持部材を立設し、この梁支持部材に棟瓦梁２５を架設する。そして、フレーム本体１とその両側の桟瓦１７とにわたって棟瓦を載せ、棟瓦のかんむり瓦２６を前記棟瓦梁２５に固定する。
【０００６】
すなわち、本発明による棟瓦支持部材は、内部に通気可能な空間を有し、屋根の棟の頂部に沿って屋根の上に取り付けられる長尺なフレーム本体１を有し、このフレーム本体１は、その両側に設けられ、屋根の棟の頂部の両側の野地板１６上に固定される板状の支持板２と、この支持板２の上にあって、前記フレーム本体１の両側に設けられ、屋根の最上部に葺く桟瓦１７の尻部を引っかける段部を有する長尺な桟部４と、この桟部４と前記フレーム本体１の側壁とにそれぞれ開口した通気窓６とを有することを特徴とする。さらにこのフレーム本体１の他のフレーム本体１と継ぎ合わせられる端部の頂部に、棟瓦梁２５を架設する梁支持柱１２または釘状の支持ピン２１を立設する切欠８が設けられている。
【０００７】
フレーム本体１と桟部４とに開口した通気窓６は、外側から中心部に向かってフレーム本体１及び桟部４の長手方向に沿って交互にずれて配置されている。また、フレーム本体１の側壁の通気窓６の内側に間隔をおいて邪魔板部３が立設している。
【０００８】
フレーム本体１の端部には、必要に応じて他のフレーム本体１と継ぎ合わせる継手９が設けられている。
桟部４は、フレーム本体１の両側を上方に正面矩形に折り曲げて形成されたものや、支持板２上に立設されたパネル状のものからなる。後者の桟部４は互いに平行に複数枚立設することもできる。
【０００９】
このような棟瓦支持部材を使用して施工される棟瓦は、棟瓦支持部材の前記フレーム本体１を屋根の棟の頂部に沿って屋根の上に取り付けると共に、フレーム本体１の両側の支持板２を屋根の棟の両側の固定し、前記桟部４に桟瓦１７の尻部を引っかけて屋根の最上部の桟瓦１７を葺き、さらにフレーム本体１の上に瓦支持部材を立設し、フレーム本体１及びその両側に葺いた桟瓦１７にわたって少なくともかんむり瓦２６、７６を有する棟瓦を載せ、かんむり瓦２６、７８を前記瓦支持部材に固定することにより施工される。
【００１０】
瓦支持部材は、例えば、屋根の棟に沿ってフレーム本体１の上に立設された梁支持柱１２と、この梁支持柱１２に架設した棟瓦梁２５からなる。また、他の瓦支持部材は、フレーム本体１の中央からその上に固定された棟瓦支持フレーム５１からなる。
棟瓦がかんむり瓦２５だけからなる場合もあるが、フレーム本体１及びその両側に葺いた桟瓦１７の上に面戸瓦とのし瓦２２、２３の少なくとも何れかが載せられ、その上にかんむり瓦２６が載せられることもある。
【００１１】
このような構造を有する棟瓦では、屋根の棟の部分がフレーム本体１とその両側の支持板２によって覆われるが、フレーム本体１は、屋根の棟に沿って取り付けられ、その両側の支持板２から立設した桟部４に桟瓦１７の瓦尻が引っかけられ、屋根の最上部の桟瓦１７が葺かれるため、屋根の最上部に瓦桟を設ける必要が無くなる。そして、この桟部４を複数枚平行に立設することにより、屋根の最上部の桟瓦１７を葺く高さが多少ずれても、その高さを臨機に調整して葺くことができる。
【００１２】
さらに、フレーム本体１とその両側の桟瓦１７にわたって葺かれる棟瓦のかんむり瓦２６は、は、フレーム本体１から立設した梁支持柱１２に架設した棟瓦梁２５に固定されるので、屋根の最上部の桟瓦１７と棟瓦とが完全に固定され、地震等の振動で崩落しにくい棟瓦が施工できる。
【００１３】
また、桟部４とフレーム本体１の側壁に通気窓６が設けられていると共に、屋根の棟に沿って設置される長尺なフレーム本体１の内部に通気可能な空間が形成されているため、棟の部分に屋根の小屋裏に通じる通気口を設けておくことにより、前記通気窓６及びフレーム本体１の内部空間を通して小屋裏の自然換気が行える。
【００１４】
前記通気窓６は、隣接する桟フレーム４とフレーム本体１の側壁とで、桟フレーム４とフレーム本体１の長手方向に交互にずれていることにより、降雨時に雨水が通気窓６を通してフレーム本体１の内部に浸入するのが防止される。加えて、フレーム本体１の側壁の通気窓６の内側に邪魔板部３を立設することにより、フレーム本体１の内部への雨水の浸入が概ね完全に防止できる。
【００１５】
【発明の実施の形態】
次に、図面を参照しながら、本発明の実施の形態について、具体的且つ詳細に説明する。
図１に瓦支持部材を使用した棟瓦を示し、図２〜図６に棟瓦支持部材及びその構成部材を示す。この棟瓦支持部材は、アルミニウム、ステンレス、亜鉛引き鉄板、トタン板等の耐食性を有するか或いは耐食処理を施した金属、或いは樹脂等により作られる。その構成部材は、大きく分けて、フレーム本体１とそれから立設される梁支持柱１２（図６参照）、支持ピン２１（図５参照）からなる。
【００１６】
このフレーム本体１は後述するように、屋根の棟に沿って長手方向に継ぎ合わせて設置されるが、その長さは特に限定はない。しかし、１本の棟瓦支持部材が長すぎても短すぎても取り扱いしにくく、施工性が劣るため、屋根を葺く建築物のモジュールに対応した長さを基準とするのが適当である。例えば、在来工法の９０３ｍｍ（半間）モジュールの場合は、その長さの棟瓦支持部材を基準とし、予備としてその１／３の３０３ｍｍ（１尺）や２／３の６０６ｍｍ（２尺）を揃えておくとよい。もちろん、メートルモジュールの場合は、１０００ｍｍの長さを基本とする。
図３はフレーム本体１の正面を、図４はフレーム本体１の一端側の一部を示している。図３に示すように、フレーム本体１及びその付属部材は両側において対称となっている。なお、これらの図において、アンダーラインを施した符合「１」は、フレーム本体の全体を指し示し、アンダーラインの無い他の符合はそのフレーム本体１の各部分を指し示すものとする。一部の符合は両側において対称となっている片側の部分のみを指し示しているが、これは他側の部分の符合を省略したに過ぎない。
【００１７】
このフレーム本体１は、ステンレス板等の金属板を長手方向に沿って厚さ方向に折り曲げて形成したもので、中央部が低く、その両側が上側に折り曲げられ、一段高くなっており、さらにその両側が低くなっている。前記の一段高くなった部分が台状の桟部４、４となっている。このフレーム本体１の桟部４、４からその両側にわたっては、両側縁へ近づくにしたがって低くなるような勾配が形成されている。
【００１８】
このフレーム本体１の下部両側に板状の一対の支持板２、２が固定されいる。この支持板２、２は、フレーム本体１の桟部４、４の外側でフレーム本体１の縁部にスポット溶接等の手段で固着されていると共に、フレーム本体１の桟部４、４の上部下面に、正面コ字形の長尺なスペーサ金具５を介して固着されている。
【００１９】
この支持板２は両側部にいくに従って低くなるような勾配を有しており、この勾配は、屋根の棟の両側の勾配とほぼ同じである。図示の例ではフレーム本体１の桟部４、４の勾配は、支持板２、２の勾配と等しく、従って桟部４、４の上面と支持板２の上面とは平行であるが、必ずしもこれらは平行である必要はない。支持板２の勾配は、屋根の棟の両側の勾配とほぼ同じとするが、桟部４、４の勾配は、その上に載せる棟瓦等の形状に応じて適宜選択する。
【００２０】
支持板２、２の下辺近くには、その支持板２、２を屋根の棟に固定するための釘穴１０が数カ所設けられている。他方、支持板２の勾配に沿って上側の縁は、フレーム本体１に向けて上方向に折り曲げられ、この部分が正面Ｌ字形の邪魔板部３となっている。
【００２１】
フレーム本体１の上壁とその両側の側壁には、横に長い矩形の通気窓６が一定の間隔で開設されている。さらにこのような横に長い矩形の通気窓６は、フレーム本体１の一段低くなった中央部と、フレーム本体１と支持板２とを連結しているスペーサ金具５、５の縦壁にも設けられており、これらの通気窓６はフレーム本体１の長手方向に何れも同じ間隔で設けられている。そして、フレーム本体１の上壁の通気窓６、その側壁の通気窓６、スペーサ金具５、５の通気窓６及びフレーム本体１の中央部の通気窓６は、外側から内側に向けて交互に１間隔分ずつフレーム本体１及び支持板２、２の長手方向にずれている。
【００２２】
図５（ａ）に梁支持柱１２を示す。この梁支持柱１２は、屋根の棟の両側の勾配に対応した勾配を有する一対の脚部１３を有し、この脚部２０の頂部から立設した梁支持柱１２の上端に、上向きに開いた正面コ字形の梁支持部１８を有する。前記の脚部１３には、同脚部１３を屋根の野地板１６に固定するための釘穴２０が設けられている。また、梁支持柱１２の上端の梁支持部１８側壁にも棟瓦梁２５を固定するための釘穴３０が設けられている。
図５（ｂ）は支持ピン２１を示す。この支持ピン２１は、大きな釘状のもので、頭部２４は部分球形であり、先端部の周面には螺旋状の抜止２９が刻設されている。
【００２３】
図７は、屋根に葺かれる桟瓦１７と、屋根の棟の上に葺かれる棟瓦の一部を示す。
和風の桟瓦１７では、図示のような引掛桟瓦が使用されることが多い。図７では、桟瓦の下になっていて見えないが、桟瓦の図７において左上の瓦尻の下から屋根の瓦桟に引っ掛けるための突起が突設している。
【００２４】
棟瓦は、少なくともかんむり瓦２６を有し、洋風の場合は角形のかんむり瓦７６のみが使用されることが多い。和風の場合は、いわゆる丸瓦と呼ばれる円筒形のかんむり瓦２６が使用される。このかんむり瓦２６は、円筒形の円筒部４８一端側に円筒部の他端の外径より内径の太いソケット状の「ひも」と呼ばれる継手部分があり、この中に他のかんむり瓦２６の他端を差し込んで接続するため、いわゆるひも付き丸瓦と呼ばれる。このかんむり瓦２６の円筒部４８の中央部には、釘を通す釘穴４１が開設されている。
【００２５】
このかんむり瓦の下に積まれる棟瓦は、面戸瓦やのし瓦２２、２３である。図７では面戸瓦は図示していない。下側に積まれるのし瓦２２は１枚ののし瓦として使用され、上に積まれるのし瓦２３は、縦に分割し、穴３６に通した金属線等で互いに固定される。のし瓦２２の端面には半円形の切欠３５が設けられている。これは、前記棟瓦支持柱１２を通すためのものである。
【００２６】
次に、このような棟瓦支持部材及びかんむり瓦２６等を使用して屋根の棟に棟瓦を構築する手順について説明する。
図１に示すように、一般的な木造建築の屋根の棟部では、いわゆる「棟木」と呼ばれる棟梁１４が、いわゆる「つか」と呼ばれる図示してない小屋柱に支持された状態で架設されており、棟梁１４と、その両側に架設された、いわゆる「母屋」と呼ばれる図示してない小屋梁との間に、いわゆる「たるき」と呼ばれる屋根梁１５が、図１において紙面前後方向に所定の間隔で列んで架設されている。
【００２７】
この屋根梁１５の上には、板材からなる野地板１６が張られ、さらに屋根の野地板１６には、いわゆるルーフィングシートと呼ばれる防水シートが張られる。図示してはいないが、野地板１６の頂部である棟の部分には、野地板１６の間に隙間を開けておくか、或いは所々野地板１６に開口部を開けておく。この隙間や開口部の幅は、前記棟瓦支持部材のフレーム本体１の幅より狭くする。
【００２８】
図１に示すように、まず屋根の野地板１６の頂部である棟に沿って、前記棟瓦支持部材を設置する。この設置に際しては、フレーム本体１の中央を野地板１６の頂きである棟に位置合わせ、支持板２をその両側の野地板１６の上に載せ、支持板２の釘穴１０から野地板１６を通して屋根梁１５に釘１９を打ち込み、固定する。このようにして、フレーム本体１を棟に沿ってその長手方向に継ぎ合わせながら屋根の野地板１６及び屋根梁１５に固定する。
【００２９】
このようにして棟瓦支持部材を屋根の棟の上に取り付けるに当たっては、図６に示すように、棟瓦支持部材を屋根の棟に沿って継ぎ合わせていく。このとき、継ぎ合わせるフレーム本体１の間に前記梁支持柱１２を挿入し、この梁支持柱１２を継ぎ合わせた一対のフレーム本体１の端部の切欠８（図４参照）の中に嵌め込む。図６に示されたように、一対の切欠８はフレーム本体１を継ぎ合わせることで、矩形の窓状の開口部となる。梁支持柱１２の両側の脚部１３をフレーム本体１の端部の切欠１１からその外に出し、この脚部１３を支持板２の端部から突出した突片７（図４参照）の上に載せる。脚部１３もその釘穴２０を通して野地板１６やその下の屋根梁１５に釘１９を打ち込んで固定される（図１参照）。
【００３０】
このようようにして棟瓦支持部材が屋根の棟に沿って順次長手方向に継ぎ合わせられると共に、梁支持柱１２が一定の間隔でフレーム本体１の継ぎ目の切欠１１から立設される。この梁支持柱１２の梁支持部１８には、棟瓦梁２５が嵌め込まれ、架設される。この棟瓦梁２５は、梁支持部１８の側壁に設けた釘穴３０から打ち込んだ釘により梁支持部１８に固定される。
【００３１】
なお、梁支持柱１２は、梁支持部材の１つ毎の間隔ではなく、例えば棟支持部材の１つおきの継ぎ目に設置するというように、適宜その間隔を変更することができる。その場合に、フレーム本体１の継ぎ目の切欠８によって形成される矩形の穴には、図５（ｂ）に示すような支持ピン２１を打ち込み、これに棟瓦梁２５を固定してもよい。
【００３２】
次に、屋根の野地板１６の上に桟瓦１７を葺く。桟瓦１７は、軒先、妻、下り棟等の変化のある部分には、軒先桟瓦、一文字桟瓦、けらば桟瓦等の特殊な形状の桟瓦が使用されるが、洋風屋根の平坦な勾配部分には、主として平のし瓦やスペイン丸瓦等の桟瓦が使用される。桟瓦１７は、屋根の勾配に沿ってその上側に当たる尻部の下面から突設した突起を、野地板１６の上に棟と平行に釘等で固定した角材からなる瓦桟４２に引っ掛けながら、屋根の軒先側から屋根の勾配に沿って棟側へ、つまり下から上側へと順次重ね葺きされる。このために、前記瓦桟４２は、この桟瓦１７を葺く間隔毎に、屋根の勾配に沿って所定の間隔で平行に取り付けられる。
【００３３】
図１では、棟に最も近い屋根の最上部の桟瓦１７の一部を示しているが、屋根の最上部の桟瓦１７は、瓦桟ではなく、梁支持柱のフレーム本体１の両側に形成された台状の高くなった桟部４に瓦尻の下方の突起を引っ掛けて葺く。従って、屋根の最上部では、桟部４、４が瓦桟に代わり、この部分には瓦桟４２を設けることは不要となる。
【００３４】
なお、野地板１６の上に瓦桟４２を設ける前に、屋根の棟及び瓦桟４２と直交するよう、つまり屋根の勾配方向に長尺な薄板からなるスペーサ４３を設け、このスペーサ４３上に瓦桟４２を設けるとよい。このスペーサ４３は、棟及び瓦桟４２と直交する方向に間隔をおいて平行に設ける。瓦桟４２をスペーサ４３の厚み分だけ野地板１６の上面から離して取り付けることにより、野地板１６の上面での屋根の勾配に沿った流排水を円滑にすることができる。
【００３５】
次に、桟瓦１７及び棟瓦支持部材のフレーム本体１の上に棟瓦を積み上げる。例えば、面戸瓦、のし瓦２２、２３及びかんむり瓦２６を棟の長手方向に継ぎ合わせながら積み上げて、棟瓦を構築する。
例えば、前記棟瓦支持部材のフレーム本体１の両側に一対の面戸瓦を取り付けるが、図示の例では面戸瓦は使用されていないため、棟瓦支持部材のフレーム本体１のとその両側の桟瓦１７にわたって、中央部で分割されていない一体ののし瓦２２を乗せる。
【００３６】
棟に沿って複数ののし瓦２２の端部を付き合わせて継ぎ合わせながら、屋根の棟に沿ってのし瓦２２を葺いていく。このとき、棟瓦支持柱１２がのし瓦２２の切欠３５の位置になるようにあらかじめのし瓦２２の設置位置を調整しておく。次に、前記のし瓦２２の上に、中央部を帯状に除去して２つ割りにした左右一対ののし瓦２３、２３を乗せる。このようにして中央部を帯状に除去して２つ割にした左右一対ののし瓦２３、２３を乗せるのは、下ののし瓦２２より上ののし瓦２３、２３の設置幅を狭くするためである。なお、こののし瓦２３、２３の長さは、その下ののし瓦２２と同じである。
【００３７】
こののし瓦２３、２３もまた、棟に沿って端部を付き合わせて継ぎ合わせながら、順次複数組のものをのし瓦２２の上に積み上げて行くが、上ののし瓦２３、２３と下ののし瓦２２は、端部の突き合わせ位置が、のし瓦２２、２３の長さの半分だけずれるように継ぎ合わせながら積み重ねる。
【００３８】
このようにしてのし瓦２３、２３をのし瓦２２の上面の所定の位置に乗せた状態で、図１に示すように、のし瓦２３、２３の中間部の対向する部分に設けた穴３６に銅線等の金属線を通し、一対ずつののし瓦２３、２３を結束し、互いに固定する。梁支持柱１２は、分割したのし瓦２３，２３の間から突設される。
【００３９】
なお、図１では、一体ののし瓦２２を１段、分割したのし瓦２３、２３を１段重ね、合計２段ののし瓦２２、２３を積み重ねているが、のし瓦２２が１段だけ積み重ねられ、分割したのし瓦２３、２３を積み重ねない場合もある。反対に、分割したのし瓦２３、２３を３段以上積み重ねる場合もある。この場合は、上にいくに従って、のし瓦の設置幅が狭くなるように重ねていく。さらに、のし瓦２２の下に面戸瓦を積むことも多い。
【００４０】
またこれらのし瓦２２、２３を葺くのと前後して、梁支持柱１２の上端の梁受支持部１８に角材等からなる棟瓦梁２５を嵌め込み、梁支持部１８の側面の釘穴３０から釘を打ち込んで固定する。これにより、棟瓦梁２５をのし瓦２３、２３の間の上に水平になるように架設する。
【００４１】
最後にのし瓦２３の上にかんむり瓦２６を乗せ、図１に示すように、その円筒部４８の中央部が棟瓦梁２５の上にほぼ乗る状態とする。かんむり瓦２６は、紐部４０を隣接する他のかんむり瓦２６の円筒部４８の端部に重ねて継ぎ合わせながら、棟瓦梁２５に被せるようにし、両側ののし瓦２３の上に葺いていく。
【００４２】
このようにして葺いたかんむり瓦２６は、図１に示すように、かんむり瓦２６の円筒部４８の中央に設けた釘穴４１から釘２８を棟瓦梁２５に打ち込み、かんむり瓦２６を棟瓦梁２５に固定する。これによって、最も下の桟瓦１７がその瓦尻の下方の突起をフレーム本体１の桟部４に嵌め込んで固定されるだけでなく、最も上の棟瓦であるかんむり瓦２６がフレーム本体１から立設された梁支持柱１２に架設された棟瓦梁２５に固定される。これにより、地震等による振動に対して、棟瓦がずれず、ましては崩れることがない。
【００４３】
さらに、この棟の部分で、野地板１６の下の小屋裏と外部との間の高い防水性を保持したまま、その間の通気が桟瓦１７の下から棟瓦支持部材の桟部４の通気窓６及びフレーム本体１の側壁の通気窓６を介して確保されるので、小屋裏の最も高い位置での換気性が確保される。
しかも、屋根の棟に沿って棟瓦支持部材を取り付けさせすれば、その後は面戸瓦、のし瓦２２、２３及びかんむり瓦２６等を順次積み重ねていけばよいので、施工性もよく、容易に棟作りが行える。
【００４４】
次に、図８〜図１３に示した本発明の第二の実施の形態について説明する。
図８に瓦支持部材を使用した棟瓦を示し、図９〜図１３に棟瓦支持部材及びその構成部材を示す。この棟瓦支持部材は、アルミニウム、ステンレス、亜鉛引き鉄板、トタン板等の耐食性を有するか或いは耐食処理を施した金属、或いは樹脂等により作られる。その構成部材は、大きく分けて、フレーム本体１とそれから立設される梁支持柱１２（図５（ａ）参照）、支持ピン２１（図５（ｂ）参照）からなる。
【００４５】
このフレーム本体１は後述するように、屋根の棟に沿って長手方向に継ぎ合わせて設置されるが、その長さは特に限定はない。これは前述の実施形態による棟瓦支持部材と同様である。
図１０はフレーム本体１の正面を、図１１はフレーム本体１の一端側の一部を、図１２はフレーム本体１の他端側の一部を示している。図１０に示すように、フレーム本体１及びその付属部材は両側において対称となっている。
【００４６】
このフレーム本体１は、ステンレス板等の金属板を正面５角形状に形成したもので、底面には板材は無く、その全体が開いている。頂部の両側の上面の勾配は、設置する屋根の棟の両側の勾配とほぼ同じである。
図１１に示すように、フレーム本体１の一端の上部両側の角部内側面に、同角部と同じ角度で曲げられた金属板からなる正面Ｌ字形の金属板が溶接等の手段で固着され、この金属板が継手片９としてフレーム本体１の一端から突設されている。さらに、フレーム本体１の一端の頂部には、切欠８が設けられている。
【００４７】
図１２は、フレーム本体１の他端を示しているが、このフレーム本体１の他端には前記のような継手片９は設けられていない。他方、フレーム本体１の他端の頂部には、前記フレーム本体１の一端側の切欠８と対応して同様の切欠８が設けられてがる。
【００４８】
さらに、フレーム本体１の下部両側の角部に正面Ｌ字形の長尺な邪魔板３が固着され、この邪魔板３の縦の部分がフレーム本体１の内側面と間隔をおいて平行に対向している。この邪魔板３はフレーム本体１の全長にわたって設けられている。
【００４９】
フレーム本体１の側壁には、後述する桟部４に設けられる通気窓６と同様の横に長い矩形の通気窓６が一定の間隔で開設されている。前記邪魔板３の縦の部分は、この通気窓６の内側にあって対向している。
図１１及び図１２に示す通り、フレーム本体１の端部には、その両側壁の下部に切欠１１が設けられている。この切欠１１の深さは、フレーム本体１の端部の頂部に設けた切欠８と同じ深さである。
【００５０】
フレーム本体１の下部両側から外側に向けて一体に支持板２、２が延設されている。この支持板２、２は、両外側部へいくに従って下方に傾斜するような勾配が形成され、この勾配はフレーム本体１を設置する屋根の棟の両側の勾配と等しい。図１１に示すように、フレーム本体１の一端において、前記両側の支持板２、２のそれぞれ２個所から、一体の金属片からなる突片７が突設されている。これら突片７の先端縁とフレーム本体１の先端縁とはほぼ面一である。
【００５１】
図１０〜図１２に示すように、支持板２の上に長尺な正面Ｌ字形のステンレス板等が固着され、これによってフレーム本体１と平行に立設された桟部４が立設されている。図示の桟部４は、両側に一定の間隔で３つずつ立設されているが、この数は任意であってよい。但しその間隔は、後述する桟瓦１７の瓦尻の下面の引き掛け用の突起の幅より広くする。従って、桟部４を多く立設する場合は、その分だけ支持板２の幅を広くする必要がある。支持板２の幅を広くすることは、棟瓦支持部材の全体の重量等も増すため、施工性が劣化するので、自ずと限度があり、図示のように両側の支持板２にそれぞれ２ないしは３つ程度の桟部４を設けるのが適当である。
【００５２】
桟部４には、前記フレーム本体１の側壁に設けられたのと同様の横に長い矩形の複数の通気窓６が一定の間隔で開設されている。これら桟部４とフレーム本体１の通気窓６の幅と、それらの隣接する通気窓６の間隙の幅は同じであり、且つ隣接する桟部４及びフレーム本体１の側壁に設けられた通気窓は、交互にフレーム本体１及び桟部４の長手方向に１間隔分ずつずれている。
さらに、支持板２、２の桟部４の間の適当な位置に、支持板２を釘で屋根の野地板１６に固定するための釘穴１０が設けられている。
【００５３】
この棟瓦支持部材を使用して屋根の棟にそって棟瓦を施工するのに使用された梁支持柱１２や支持ピン２１は、図５（ａ）、（ｂ）にそれぞれ示したものと同様である。また、屋根に葺かれる桟瓦１７や棟瓦も図７に示したものと同様である。これらの詳細は前述した通りである。
【００５４】
次に、このような棟瓦支持部材及びかんむり瓦２６等を使用して屋根の棟に棟瓦を構築する手順について説明する。
図８に示すように、まず屋根の野地板１６の頂部である棟に沿って、前記棟瓦支持部材を設置する。この設置に際しては、フレーム本体１の中央を野地板１６の頂きである棟に位置合わせ、支持板２をその両側の野地板１６の上に載せ、支持板２の釘穴１０から野地板１６を通して屋根梁１５に釘１９を打ち込み、固定する。このようにして、フレーム本体１を棟に沿ってその長手方向に継ぎ合わせながら屋根の野地板１６及び屋根梁１５に固定する。
【００５５】
このようにして棟瓦支持部材を屋根の棟の上に取り付けるに当たっては、図１３に示すように、棟瓦支持部材を屋根の棟に沿って継ぎ合わせていく。このとき、フレーム本体１の一端から突設された継手片９（図１１参照）を継ぎ合わせる他の棟瓦支持部材のフレーム本体１の他端（図１２参照）に嵌め込んで継ぎ合わせる。
【００５６】
このとき、継ぎ合わせるフレーム本体１の間に前記梁支持柱１２を挿入し、この梁支持柱１２を継ぎ合わせた一対のフレーム本体１の端部の切欠８（図１１及び図１２参照）の中に嵌め込む。図１３に示されたように、一対の切欠８はフレーム本体１を継ぎ合わせることで、矩形の窓状の開口部となる。梁支持柱１２の両側の脚部１３をフレーム本体１の端部の切欠１１からその外に出し、この脚部１３を支持板２の端部から突出した突片７（図１１及び図１２参照）の上に載せる。脚部１３もその釘穴２０を通して野地板１６やその下の屋根梁１５（図８参照）に釘を打ち込んで固定される。
【００５７】
このようようにして棟瓦支持部材が屋根の棟に沿って順次長手方向に継ぎ合わせられると共に、梁支持柱１２が一定の間隔でフレーム本体１の継ぎ目の切欠１１から立設される。この梁支持柱１２の梁支持部１８には、棟瓦梁２５が嵌め込まれ、架設される。この棟瓦梁２５は、梁支持部１８の側壁に設けた釘穴３０から打ち込んだ釘により梁支持部１８に固定される。
【００５８】
次に、屋根の野地板１６の上に桟瓦１７を葺く。図８では、棟に最も近い屋根の最上部の桟瓦１７の一部を示しているが、屋根の最上部の桟瓦１７は、瓦桟ではなく、梁支持柱の支持板２から突設された桟部４の何れかに瓦尻の下方の突起を引っ掛けて葺く。従って、屋根の最上部では、桟部４が瓦桟に代わり、この部分には瓦桟を設けることは不要となる。また桟部４が図８のように間隔をおいて複数あると、最上部の桟瓦１７の位置を調整して葺くことができる。
【００５９】
次に、桟瓦１７及び棟瓦支持部材のフレーム本体１の上に棟瓦を積み上げる。例えば、面戸瓦、のし瓦２２、２３及びかんむり瓦２６を棟の長手方向に継ぎ合わせながら積み上げて、棟瓦を構築する。これらの具体的な施工手段は、図１〜図７により前述した実施形態のものと同様であり、同様にして施工の容易性、強度、通気性等が得られる。
【００６０】
次に、図１４〜図２０を参照しながら、本発明の他の実施の形態について説明する。
これらの実施形態は、図１〜図７により前述した棟瓦において、棟の上に梁支持柱１２を立設し、これに棟瓦梁２５を架設するのに代えて、棟瓦支持部材の上に、棟瓦支持フレーム５１を立設したものである。洋風のかんむり瓦７６をふくのに好適な実施形態である。
【００６１】
図１４に棟瓦支持フレーム５１を使用した棟瓦を示し、図１５〜図１８及び図２０に棟瓦支持フレーム５１を示す。この棟瓦支持フレーム５１は、アルミニウム、ステンレス、亜鉛引き鉄板、トタン板等の耐食性を有するか或いは耐食処理を施した金属、或いは樹脂等により作られる。棟瓦支持フレーム５１は、正面がコ字形のチャンネル形状を有する長尺な金属部材からなるフレーム本体５２と、そのの上に搭載される棟覆い部材５６とからなる。
この棟瓦支持フレーム５１は後述するように、屋根の棟に沿って長手方向に継ぎ合わせて設置されるが、その長さは、その下に設置される棟瓦支持部材の長さに準じる。
【００６２】
前記フレーム本体５２は、その一対の平行な側板の間に正面矩形のリング状のスペーサ５４を挟持し、溶接等で固定したものである。従って、フレーム本体５２の対向する一対の側壁２の間は、スペーサ５４がある部分を除いて空間となっており、上下に通気性を有する。フレーム本体５２の上縁部８１はスペーサ５４より高く延びている。他方、フレーム本体５２の底壁６０には、前述した棟瓦支持部材のフレーム本体１の中央部の通気窓６と同じ間隔で同じ大きさの通気窓（図示せず）が設けられている。
【００６３】
前記スペーサ５４の上下両壁には、棟瓦支持フレーム５１の長手方向と直交する方向に対向するように貫通孔が設けられている。フレーム本体５２の一対の側板を左右に水平に配置し、且つ棟瓦支持フレーム５１の長手方向を水平に配置したとき、前記の貫通孔は、垂直に対向するように配置される。これら貫通孔は、後述するねじ７４の径より僅かに大きく、スペーサ５４の下側の壁部の上面には、その貫通孔と中心軸が一致するようにナット８３が固着されている。
【００６４】
フレーム本体５２には、図２０に示されたようなアタッチメント８７が必要に応じて使用される。このアタッチメント８７は、フレーム本体５２と同じ長さを有し、フレーム本体５２と同様の材料で作られる。このアタッチメント８７は、幅の異なる横コ字形を呈したチャンネル状の一対の部材８８、８９を、上下に固着して作られており、下方の幅の狭い部材８８をフレーム本体５２の側板の上縁部８１の間に嵌め込むことができる。上側の部材８９の幅は、フレーム本体５２の側板の上縁部８１の幅と同じである。
【００６５】
アタッチメント８７を構成する上下の部材８８、８９の貼り合わせた横壁は、図示していない矩形の通気口が開口しており、通気口の間の部分は、フレーム本体５２のスペーサ５４の位置と対応している。また、この通気口の間の部分には、フレーム本体５２のスペーサ５４の前記貫通孔に対応して、同様の貫通孔が設けれている。
【００６６】
このアタッチメント８７の下方の部材８８をフレーム本体５２の上縁部８１の間に嵌め込むことにより、上側の部材８９の高さだけ、フレーム本体５２が実質的に高くなる。従って、このアタッチメント８７は、フレーム本体５２の高さが低いため、後述する棟覆い部材５６の中央部の両側に適当な勾配を形成でけいない時に使用する。アタッチメント８７は、必要に応じて２段以上を重ねて用いることもできる。
【００６７】
前記棟フレーム本体５２の上に棟覆い部材５６が載せられる。図１４、図１５、図１８及び図２０に示すように、この棟覆い部材５６は、フレーム本体５２と同様のもので作られた同じ長さの部材である。
この棟覆い部材５６は、左右対称の５組の板状部材からなっている。図１４、図１５及び図２０は、これらの板状部材を組み上げた状態を示し、図１８は、一部の板状部材を分解した状態を示す。
【００６８】
上側の第一の板状部材５３は、端面Ｌ字形を呈し、外側部が下方に垂下した邪魔板７７となっている。この第一の板状部材５３とほぼ平行に配置された第二の板状部材５５は、端面クランク状を呈し、その外側部の上面が第一の板状部材５３の邪魔板７７に近い内側の下面に固着されている。第一と第二の板状部材の間に挿入された第三の板状部材は、その内側縁部が第一の板状部材５３の内側縁部の下面に固着され、その外側縁部が、第二の板状部材５５の外側の立上り壁部に近い上面に固着されている。第一、第二及び第三の板状部材５３、５５、５７の内側縁部を固定する第四の板状部材は、側面Ｌ字形を呈し、その内側に折れ曲がった上端は、第一の板状部材５３の内側縁部に固着された第二の板状部材８４の内側縁部の下面に固定されている。また、この第四の板状部材の下端縁部は、第二の板状部材５５の下方に折れ曲がった内側縁部に固着され、この第二の板状部材５５の内側縁部と共に、棟覆い部材５６の中央から下方に垂下する差込片８２を形成している。さらに、第五の板状部材９４は、第二の板状部材５５の両側部の下面に設けられた端面Ｌ字形のもので、この第五の板状部材９４と前記第二の板状部材５５の外側を向いた側面との間に溝状の風圧板取付部９８が形成される。
【００６９】
図１８に示すように、第一の板状部材５３の両側部には、その上面の水を抜く水抜孔８５が適当な間隔で穿孔されている。さらに、第一の板状部材５３の両側側の上面であって、前記水抜孔８５の外側と、第五の板状部材９４の下面には、それらの長手方向に沿って、ゴム、発泡樹脂等の弾性体からなる弾性部材７９、８０がそれぞれ取り付けられている。
【００７０】
このように、５対の板状部材５３、５５、５７、８４が左右対称に組み上げられた状態で、第一の板状部材５３の内側縁部が、帯状の連結部材７１により連結されている。この連結部材７１は、その長手方向に沿って塑性的に湾曲できるようになっており、これによって左右の板状部材５３、３、５７、８４は、適当な角度で互いに傾斜させることができる。通常は、図１８に示すように、連結部材７１で連結された棟覆い部材５６の中央部が高く、両側が低くなるような勾配が形成されるよう、連結部材７１で棟覆い部材５６の両側を曲げた状態で使用する。この棟覆い部材５６の前記連結部材７１には、前記フレーム本体５２のスペーサ５４やアタッチメント８７の貫通孔の位置に対応して、貫通孔が設けられている。
【００７１】
棟覆い部材５６の第一の板状部材５３の両外側の邪魔板７７が垂下した部分の内側、すなわち、棟覆い部材５６の側面を形成する第二の板状部材５５の外側の立上り壁に、同板状部材５５の長手方向に間隔をおいて開口部である通気窓５８が設けられている。また、この第二の板状部材５５の立上り壁の内側の上面に接合した第三の板状部材５７の両外側縁にも、開口部からなる通気窓６２が設けられている。さらに、第四の板状部材８４の第二と第三の板状部材５５、５７に固着された部分の間にも、開口部である通気窓７０が設けられている。
【００７２】
これら通気窓５８、６２、７０と各板状部材５３、５５、５７の間隙とを介して、棟覆い部材５６の両側部、すなわち邪魔板７７側から第四の板状部材８４の間の空間に通じる空気の流通路が形成されている。内側と外側の通気窓５８、６２、７０、すなわち、通気窓５８と通気窓６２及び通気窓６２と通気窓７０とは、それぞれ棟覆い部材５６の長手方向に互いにずれるように配置されている。
【００７３】
第二の板状部材５５の両側の立上り壁に設けられた通気窓５８には、蜂等の小さな昆虫が通れない程度の目の細かいメッシュやパンチングメタル等からなるスクリーン６１が張られている。また、棟覆い部材５６の中央部の第四の板状部材８４に設けられた通気窓７０にも、蜂等の小さな昆虫が通れない程度の目の細かいメッシュやパンチングメタル等からなるスクリーン９２が張られている。
【００７４】
前記の風圧板取付部９８を形成する第五の板状部材９４の先端辺部には、図１７に示すように、その長手方向に所定の間隔で切欠きが形成され、この切欠きは排水部９５となっている。この排水部９５は、前記第二の板状部材５５の立ち上がり壁に設けられた通気窓５８に対し、棟覆い部材５６の長手方向にずれた位置に設けられている。より具体的には、隣接する通気窓５８の間に位置するよう排水部９５が設けられている。
【００７５】
図１５〜図１８に示すように、前記風圧板取付部９８には、風圧板９３が差し込んで取り付けられる。この風圧板９３は、ステンレスやアルミニウム板等からなるもので、棟覆い部材５６の１ユニット分の長さ、１／２ユニット分或いは１／３ユニット分の長さを有する長尺な板材である。１／２ユニット分或いは１／３ユニット分の長さを有する風圧板９３は、１ユニット分の棟覆い部材５６に２枚または３枚が縦に並べて取り付けられる。
【００７６】
この風圧板９３には、前記風圧板取付部９８の排水部９５の位置に対応して下辺側に切欠き状の凹部が形成され、これが排水部９６となっている。風圧板９３が風圧板取付部９８に取り付けられた状態で、風圧板９３の排水部９６と風圧板取付部９８の排水部９５とが一致し、水抜き用の開口部が形成される。風圧板９３の排水部９６が形成された部分は、他の部分より高くなっており、この部分は風受け部９７である。
【００７７】
図１６に示すように、棟覆い部材５６の風圧板取付部９８の溝幅は、風圧板９３の厚さに比べて充分大きく、このため風圧板９３は、風圧板取付部９８内で或る程度自由に揺動できる。
図１５及び図２０に示すように、棟覆い部材５６の両側が低くなるような勾配を形成した場合、図１６に示すように、第二の板状部材５５の立ち上がり壁も傾く。このため、風圧板９３は、図１６に二点鎖線で示すように、自重によって棟覆い部材５６の両外側に傾いている。この状態では、風圧板９３が風圧板取付部９８の縁または邪魔板７７に当たってそれ以上の傾きが止められる。また、この状態では、風圧板９３が棟覆い部材５６の第二の板状部材５５の立ち上がり壁から離れ、そこに設けた通気窓５８が開いている。
【００７８】
他方、風圧板９３が棟覆い部材５６の両側から図１６に矢印で示すように吹き込んでくる風の風圧を受け、その風圧が強くなると、風圧板９３は起こされて、第二の板状部材５５の立ち上がり壁に当接する。この状態では、風圧板９３が第二の板状部材５５の立ち上がり壁に設けた通気窓５８が閉じられる。
【００７９】
前記連結部材７１の上に、棟瓦固定部材６３が取り付けられる。この棟瓦固定部材６３は、棟覆い部材５６と同じ長さで、端面ヘ字形のベースから垂直に壁を立ち上げ、この壁の上端を内側に鈎状に曲げてフック状に形成したものである。この棟瓦固定部材６３の前記連結部材７１の上に載せられる部分には、連結部材７１の貫通孔に対応して貫通孔が設けられている。
【００８０】
この棟覆い部材５６は、前記フレーム本体５２の上面に中央を合わせて載せる。すなわち、棟覆い部材５６の中央の差込片８２を、支持フレーム本体５２の側板の上縁部８１の間に差し込んで支持する。この状態で、棟覆い部材５６の両外側が下方になるようそれを中央部で曲げ、棟覆い部材５６の中央から両側部分に勾配を形成する。棟覆い部材５６の中央の連結部材７１とその上の棟瓦固定部材６３の貫通孔からねじ７４を差し込み、このねじ７４の先端をフレーム本体５２のスペーサ５４の上壁の貫通孔に差し込み、さらにスペーサ５４の下壁のナット８３にねじ込み、締め付ける。
【００８１】
この状態では、フレーム本体５２の側板の上縁部８１の内側に棟覆い部材５６の差込片８２が係合させれるため、フレーム本体５２と棟覆い部材５６とは、互いに幅方向の位置が規制される。また、ねじ７４によりフレーム本体５２と棟覆い部材５６との長手方向の移動も規制され、フレーム本体５２と棟覆い部材５６とは、完全に固定される。
【００８２】
なお、フレーム本体５２の上に、図２０に示すようなアタッチメント８７が取り付けられる場合、棟覆い部材５６は、このアタッチメント８７の上に取り付けられることは言うまでもない。この場合は、アタッチメント８７の上側の部材８９の間に棟覆い部材５６の差込片８２を係合させる。
【００８３】
図１９に、この棟瓦支持フレーム５１を使用して屋根の棟の上に葺かれるかんむり瓦７６を示す。このかんむり瓦７６は、基本的に部分角筒形を呈した筒部を主体としており、この筒部の一方の端部には、筒部より一段高さが低い継手部９０を有する。この継手部９０を、他のかんむり瓦の端部に差し込むことにより、かんむり瓦が順次接続される。
【００８４】
かんむり瓦７６の筒部の中央には貫通孔９１が設けられている。この貫通孔９１には、フックねじ７８の上端が嵌合される。このフックねじ７８の下端は、鈎状に曲がっており、その上端にはねじが切られている。このねじが切られた上端には、リング状の弾性体からなるパッキン７５が嵌め込まれ、さらにナット７３がねじ込まれる。
【００８５】
次に、前記のような棟瓦支持部材、棟瓦支持フレーム５１及びかんむり瓦７６を使用して屋根の棟に棟瓦を構築する手順について説明する。
図１４に示すように、まず屋根の野地１６の頂部である棟に沿って、前記棟瓦支持部材を設置する。この部分の工事は、基本的には図１〜図７に示した実施形態と同様であり、その詳細な説明は省略する。
【００８６】
相違する点は、図１に示すように、屋根の棟に梁支持柱を立設する代わりに、棟瓦支持部材のフレーム本体１の中央部の平坦な部分に、前記の棟支持フレーム５１のフレーム本体５２の底面を載せて固定する。棟支持フレーム５１の固定手段は、フレーム本体１の中央部の平坦な部分の底面に予め溶接等でナット８３を固定しておき、これに棟覆い部材５６をフレーム本体５６を固定するためのボルト７４の先端をねじ込んで、フレーム本体１、フレーム本体５２及び棟覆い部材５６を同時に固定する。あるいはフレーム本体５２の底壁６０をフレーム本体１の中央部の平坦な部分の上面に予め溶接してしまってもよい。このとき、棟瓦支持部材のフレーム本体１の中央部の通気窓６と前記の棟支持フレーム５１のフレーム本体５２の底壁６０の通気窓とは一致させる。
【００８７】
次に、棟覆い部材５６をフレーム本体５２の上面に中央を合わせて載せ、棟覆い部材５６の中央の差込片８２を、フレーム本体５２の側板の上縁部８１の間に差し込んで支持する。この状態で、棟覆い部材５６の両外側が下方になるようそれを中央部で曲げ、桟瓦１７の高さに応じて、棟覆い部材５６の中央部から両側に適当な勾配を形成する。この状態では、前記棟覆い部材５６の両外側部が最も上の桟瓦１７の上に載せられ、その両側下面の弾性部材８０が桟瓦１７の上面に当たる。
【００８８】
既に述べた通り、桟瓦１７は、屋根の軒先側から上に葺き上げてくるため、棟に最も近い最上部では、桟瓦１７の１枚分の長さに満たない長さで上下の桟瓦１７の重ね合わせが調整される。このため、その調整量によっては、最上部の桟瓦１７の上面の勾配が変わり、その高さが変わってくることがある。
【００８９】
この場合、桟瓦１７の上面が高くなり、前述のようにしてフレーム本体５２の上に載せた棟覆い部材５６の両側の勾配が緩くなりすぎてしまうことも起こり得る。それでは、棟覆い部材５６の上面を伝わって雨水等が棟の方向に流れてしまうので、棟覆い部材５６の取付高さを高くしなければならない。
そこでこのような場合は、図２０に示すようなアタッチメント８７を使用し、その上に棟覆い部材５６を取り付けて、その取付高さを高くする。
【００９０】
図１４、図１５、図１８及び図１９に示すように、棟覆い部材５６の中央の連結部材７１の上に棟瓦固定部材６３を載せる。この棟瓦固定部材６３及び連結部材７１の貫通孔からボルト７４を差し込み、このねじの先端をフレーム本体５２のスペーサ５４の上壁と下壁の貫通孔に差し込み、さらにボルト７４の先端をフレーム本体１に固定したナット８３にねじ込み、フレーム本体１の上にフレーム本体５２と棟覆い部材５６とを固定する。
次に、桟瓦１７及び棟覆い部材５６の上にかんむり瓦７６を載せ、図１４に示すように、その筒部の中央頂部を棟覆い部材５６の中央部に位置合わせする。
【００９１】
かんむり瓦７６は、継手部９０を隣接する他のかんむり瓦７６の筒部の端部に挿入して継ぎ合わせながら葺いていく。この際、予め図１４及び図１９で示すように、フックねじ７８の上端をかんむり瓦の貫通孔９１に挿入しておく、そして、このフックねじ７８の鈎状に曲がった下端を棟瓦覆い部材５６の上に固定した棟瓦固定部材６３の上縁のフック状に曲がった部分に掛ける。
【００９２】
さらに、フックねじ７８の上端のねじ部分にゴムリング等の弾性リング状のパッキン９１を嵌め込み、その上からナット７３をフックねじ７８の上端にねじ込む。このナット７３を締め込み、かんむり瓦７６を棟瓦固定部材６３を介して棟覆い部材５６に固定する。このようにして、棟瓦が施工される。
【００９３】
このような棟瓦では、棟の部分で、野地６６の下の小屋裏と外部との間の高い防水性を保持したまま、その間の通気がフレーム本体５２の通気窓３、棟覆い部材５６の通気窓７０及びその邪魔板５７、５８の間隙により確保されるので、小屋裏の最も高い位置での換気性が確保される。なお、かんむり瓦７６と棟覆い部材６との間に吹き込んだ雨水は、第一の板状部材５３の勾配にそってその両側部側に流れ、水抜孔８５からその下の第二及び第三の板状部材５５、５７に流れ落ち、第二の板状部材５５の通気窓８から風圧板９３と風圧板取付部９８の排水部９５、９６を通って棟覆い部材５６の外側に流れ出す。
【００９４】
また、棟覆い部材５６の外側の風が弱いときは、風圧板９３は、図１６に二点鎖線で示すように傾いており、これによって最も外側の通気窓５８が開かれ、前記のような棟覆い部材及びフレーム本体５２の内部を通して、屋根の小屋裏の換気性が確保できる。これに対し、棟覆い部材５６の側方から、図１６に矢印示すように強い風が吹き込んできた場合、風圧板９３が風圧を受け、図１６に二点鎖線で示した角度から次第に通気窓５８側に立ってくる。そして、ある程度の風速になると、風圧板９３がその風圧を受け、図１６に実線で示ように棟覆い部材５６の側面に当接し、外側の通気窓５８を閉じる。
【００９５】
このようにして風圧板９３で通気窓５８が閉じられる風速は、風圧板９３の重量、例えば板厚や幅等により設定できる。例えば、風圧板９３として厚さ０．６ｍｍ、長さ９６５ｍｍ（１／２ユニット分の長さ）のステンレス板を使用した場合と、厚さ１．０ｍｍ、長さ９６５ｍｍ（１／２ユニット分の長さ）のアルミニウム板を使用した場合では、概ね同等の横風の風速で通気窓５８を閉じることができた。具体的には、前記のようにして棟瓦を施工し、棟覆い部材５６の側方から横風吹きつけて、次第にその風速を高めていって実験した結果では、前記のステンレス板及びアルミニウムの風圧板を使用した場合、いずれも風速１９．４ｍ／ｓｅｃで通気窓５８が閉じられた。
このようにして、風が強くなると風圧板９３で通気窓５８が閉じられるようにしたことから、風雨が強いとき、雨水が通気窓５８から棟覆い部材５６の中に吹き込まれるのを防止することができる。
【００９６】
また、前記のようにして棟瓦を施工するときは、屋根の棟に沿って棟瓦支持フレーム５１と棟瓦梁７５を取り付けさせすれば、その後は、それに沿ってかんむり瓦７６を順次列べていけばよい。従って、施工性がよく、容易に棟作りが行われる。また、フレーム本体５２と棟覆い部材５６とにより、かんむり瓦７６が固定されるので、地震等に対して高い強度の棟瓦を構築することができる。
【００９７】
【発明の効果】
以上説明した通り、本発明による棟瓦支持部材とそれを使用して施工された棟瓦は、換気構造を有する棟瓦であったも、最も下に重ねられる最下段の瓦と最も上に重ねられる最上段の瓦とが棟に沿って設置された棟瓦支持部材にしっかりと固定されるので、高い耐震性と防水性を備える。しかも施工性に優れており、熟練した高い技能を有する技能者でなくても、容易に棟作りが行える。
【図面の簡単な説明】
【図１】本発明による棟瓦支持部材を使用して施工した棟瓦の例を示す屋根の棟部分の一部縦断正面図である。
【図２】同棟瓦支持部材と梁支持柱の例を示す正面図である。
【図３】同棟瓦支持部材の正面図である。
【図４】同棟瓦支持部材の例を示すその一端部の斜視図である。
【図５】前記梁支持柱とそれに代えて棟に立設される支持ピンの斜視図である。
【図６】同梁支持柱を組み込んで前記棟瓦支持部材の端部を継ぎ合わせた状態の継合部の要部斜視図である。
【図７】本発明による棟瓦の例の瓦の構成を示す斜視図である。
【図８】本発明の他の実施形態による棟瓦支持部材を使用して施工した棟瓦の例を示す屋根の棟部分の一部縦断正面図である。
【図９】同棟瓦支持部材と梁支持柱の例を示す正面図である。
【図１０】同棟瓦支持部材の正面図である。
【図１１】同棟瓦支持部材の例を示すその一端部の斜視図である。
【図１２】同棟瓦支持部材の例を示すその他端部の斜視図である。
【図１３】前記梁支持柱を組み込んで同棟瓦支持部材の端部を継ぎ合わせた状態の継合部の要部斜視図である。
【図１４】本発明の他の実施形態による棟瓦支持部材とその上に棟瓦支持フレームを搭載して施工した棟瓦の例を示す屋根の棟部分の一部縦断正面図である。
【図１５】同棟瓦支持部材とその上に固定される棟瓦支持フレームの例を示す正面図である。
【図１６】棟瓦支持部材の棟覆い部材の側部を示す要部拡大断面図である。
【図１７】図１６におけるＡ−Ａ線矢視図である。
【図１８】前記棟瓦支持部材の例を示す要部斜視図である。
【図１９】棟瓦支持部材の上に固定される棟瓦であるかんむり瓦とそれを固定する棟瓦固定部材を示す分解斜視図である。
【図２０】前記棟瓦支持部材、その上に固定される棟瓦支持フレーム及びそれに取り付けられるアタッチメントの例を示す縦断正面図である。
【符号の説明】
１    フレーム本体
２    支持板
３    邪魔板部
４    桟部
６    通気窓
８    切欠
９    継手
１２  梁支持柱
１６  野地板
１７  桟瓦
２１  支持ピン
２２  のし瓦
２３  のし瓦
２５  棟瓦梁
２６  かんむり瓦
５１  棟瓦支持フレーム
７６  かんむり瓦
【図１】
0004054130.tif 000002
【図２】
0004054130.tif 000003
【図３】
0004054130.tif 000004
【図４】
0004054130.tif 000005
【図５】
0004054130.tif 000006
【図６】
0004054130.tif 000007
【図７】
0004054130.tif 000008
【図８】
0004054130.tif 000009
【図９】
0004054130.tif 000010
【図１０】
0004054130.tif 000011
【図１１】
0004054130.tif 000012
【図１２】
0004054130.tif 000013
【図１３】
0004054130.tif 000014
【図１４】
0004054130.tif 000015
【図１５】
0004054130.tif 000016
【図１６】
0004054130.tif 000017
【図１７】
0004054130.tif 000018
【図１８】
0004054130.tif 000019
【図１９】
0004054130.tif 000020
【図２０】
0004054130.tif 000021